(57)【要約】【課題】  平板状羽根の上流側の気流を安定させる。【解決手段】  逆流防止用ダンパ装置４０は、ダンパ本体部４２を有する。ダンパ本体部４２は、排気ダクト１６の断面に沿って並列して複数設けられた平板状羽根２８を備えている。各平板状羽根２８は、それぞれが独立して回動自在となっている。平板状羽根２８の上流側には、整流部４４が設けてある。整流部４４は、各平板状羽根２８の間に設けた整流板５０を有する。各整流板５０は、気流４６の流れに沿って配置され、排気ダクト１６の断面に沿って移動可能となっていて、排気ダクト１６の内部を複数の分割流路５４に区画している。各分割流路５４には、流量調整機構５２が設けてある。流量調整機構５２は、相対移動可能な一対の多孔板から形成してあって、開口率を変えることにより、分割流路５４を流れる気流４６の量を調整することができる。【選択図】        図１
2006329444.tif 000002
【特許請求の範囲】
【請求項１】
気流の流路断面に沿って並列して複数設けられ、それぞれが独立して回動自在な平板状羽根と、
前記平板状羽根の上流側において前記気流の流れに沿って配置され、前記流路断面に沿って移動可能に設けられて前記気流を整流するとともに流路を分割する複数の整流板と、  前記整流板によって区画された複数の分割流路に対応して設けられ、対応する前記分割流路を流れる前記気流の量を調整する流量調整機構と、
を有することを特徴とするダンパ装置。
【請求項２】
気流の流路断面に沿って並列して複数設けられ、それぞれが独立して回動自在な平板状羽根と、
前記平板状羽根の上流側において外側の前記平板状羽根に対応して前記気流の流れに沿って配置され、前記流路断面に沿って移動可能に設けられて前記気流を整流するとともに前記外側の平板状羽根が開閉する分割流路を形成する整流板と、
前記整流板の先端に回動自在に設けられ、前記分割流路の流入口面積を変える流入口調節部材と、
を有することを特徴とするダンパ装置。
【請求項３】
請求項２に記載のダンパ装置において、
前記整流板と流路壁とが形成する前記分割流路に設けられ、前記分割流路を流れる前記気流の量を調整する流量調整機構を有することを特徴とするダンパ装置。
【発明の詳細な説明】
【技術分野】
【０００１】
本発明は、気流の流路に設けられるダンパ装置に係り、特に原子力施設の換気空調システムなどに使用される逆流防止用のダンパ装置に関する。
【背景技術】
【０００２】
原子力発電所などの原子力施設は、建屋内の環境を常に一定に維持するために換気空調システムが設置してある。また、原子力施設は、放射性物質が外部に漏洩するのを防止するために建屋内を負圧に維持するとともに、換気空調システムの通風路にフィルタを設け、建屋内から排出される塵埃を捕捉して外部に放出しないようにしている。換気空調システムの排気系統は、例えば図３のようになっている。
【０００３】
すなわち、図３に示したように、排気系統１０は、建屋１２の天井空間１４に通風路を形成する排気ダクト１６が配設してある。この排気ダクト１６には、天井空間１４に設置した複数の排気ファン（送風機）１８の吐出側管路１９が並列に接続してある。これらの排気ファン１８は、矢印２２に示したように、室内２０の空気を吸引して排気ダクト１６に吐出する。そして、通風路を構成する排気ファン１８の吐出側管路１９には、逆流防止用ダンパ装置２４が設けてあり、排気ファン１８の運転を停止したときに、排気ダクト１６内の空気や塵埃が排気ファン１８を介して室内２０に逆流するのを防止している。
【０００４】
逆流防止用ダンパ装置２４は、例えば図４のようになっていて、排気ファン１８の吐出側管路１９に取り付ける額縁状のケーシング２６を有している。通風路の流路断面を形成するケーシング２６には、複数の平板状羽根２８が並列に配置して取り付けてある。各平板状羽根２８は、それぞれが独立して回動自在となっていて、カウンタウエイト３０が取り付けられ、容易に回動するようにしてある。すなわち、平板状羽根２８は、図５に示したように、上端側に断面半円状の嵌合凹部３２が形成してあり、この嵌合凹部３２に嵌合させた軸３４に接合してある。そして、軸３４は、ケーシング２６に回動自在に支持されるとともに、一端にカウンタウエイト３０が取り付けてある。平板状羽根２８は、排気ファン１８が吐出する気流によって回動し、吐出側管路１９を開放するようになっている。なお、このような逆流防止用ダンパ装置２４は、排気ダクト１６内に設置されることもある。
【０００５】
ところが、逆流防止用ダンパ装置２４の平板状羽根２８は、排気ダクト１６内の気流の状態によって不安定な挙動を示すことがあり、平板状羽根２８が常に揺動し、排気ダクト１６に設けたフィルタ（図示せず）を振動させてフィルタを損傷させたり、平板状羽根２８と軸３４の接合部を疲労損傷させたりする。そこで、平板状羽根２８の上流側に開口率を調節できる多孔板を配置して気流を整流し、平板状羽根の揺動を抑制したダンパ装置や、平板状羽根２８の先端折曲部３６に気流が当たらないように整流板を設けたダンパ装置が提案されている（特許文献１、特許文献２）。
【特許文献１】特開２０００−１８６９７号公報
【特許文献２】特開２０００−７４４７５号公報
【発明の開示】
【発明が解決しようとする課題】
【０００６】
原子力施設などにおける建屋は、排気ファン１８や排気ダクト１６の設置スペースの縮小化が図られている。このため、逆流防止用ダンパ装置２４が設置される排気ダクト１６の長さを充分に確保することができず、特許文献１、特許文献２のような構造を採用したとしても、平板状羽根２８付近の気流が不安定になることが懸念されている。気流が不安定になると各平板状羽根２８間における開閉の挙動が異なる現象を生じ、開閉の回数が多い平板状羽根２８においては、軸３４との接合部に過剰な負荷応力が発生し、短期間で平板状羽根２８の疲労破壊を生ずるおそれがある。特に、通風路の壁面の近くを流れる気流は、不安定になりやすい。
【０００７】
本発明は、前記従来技術の欠点を改善するためになされたもので、平板状羽根の上流側の気流を安定させることを目的としている。
【課題を解決するための手段】
【０００８】
上記の目的を達成するために本発明に係るダンパ装置は、気流の流路断面に沿って並列して複数設けられ、それぞれが独立して回動自在な平板状羽根と、前記平板状羽根の上流側において前記気流の流れに沿って配置され、前記流路断面に沿って移動可能に設けられて前記気流を整流するとともに流路を分割する複数の整流板と、前記整流板によって区画された複数の分割流路に対応して設けられ、対応する前記分割流路を流れる前記気流の量を調整する流量調整機構と、を有することを特徴としている。
【０００９】
また、本発明に係るダンパ装置は、気流の流路断面に沿って並列して複数設けられ、それぞれが独立して回動自在な平板状羽根と、前記平板状羽根の上流側において外側の前記平板状羽根に対応して前記気流の流れに沿って配置され、前記流路断面に沿って移動可能に設けられて前記気流を整流するとともに前記外側の平板状羽根が開閉する分割流路を形成する整流板と、前記整流板の先端に回動自在に設けられ、前記分割流路の流入口面積を変える流入口調節部材と、を有することを特徴としている。整流板と流路壁とが形成する分割流路には、分割流路を流れる気流の量を調整する流量調整機構を設けてもよい。
【発明の効果】
【００１０】
上記のようになっている本発明に係るダンパ装置は、気流の流れに沿って複数の整流板を設けて気流の流れを整流する。さらに、整流板によって形成される分割流路に流量調整機構を設けて分割流路を流れる気流の量を調整する。このため、各分割流路における気流を容易に安定させることができ、分割流路下流側の平板状羽根の挙動を安定させることができ、平板状羽根に不要な負荷が作用するのを防ぐことができる。したがって、平板状羽根の疲労破壊を防ぐことができ、ダンパ装置の信頼性を高めることができる。しかも、気流が流れる流路（通風路）を整流板によって複数の分割流路に区分しているため、気流を安定させる流路断面の面積が小さく区画されるため、分割流路内の気流を容易に安定させることができる。さらに、整流板は、流路断面に沿って移動可能となっているため、各分割流路間における気流の状態を同じようにすることができ、一部の平板状羽根に過度な負荷応力が作用するのを防ぐことができる。
【００１１】
また、本発明のダンパ装置は、気流が不安定になりやすい流路の壁面近くの気流を整流板によって整流するとともに、整流板の先端に設けた流入口調節部材によって流路の壁面と整流板とによって形成する分割流路の流入口の面積を変え、分割流路を流れる気流の量を調整するようにしている。このため、流路の壁面近くにおける気流の状態が不安定になるのを防ぐことができ、平板状羽根の挙動を安定させることができる。そして、分割流路に流量調整機構を設けることにより、流入口調節部材と合わせて気流の量が調整でき、分割流を流れる気流を容易に安定させることができる。
【発明を実施するための最良の形態】
【００１２】
本発明に係るダンパ装置の好ましい実施の形態を、添付図面に基づいて詳細に説明する。なお、前記背景技術において説明した部分に対応する部分については、同一の符号を付してその説明を省略する。また、以下の実施形態においては、ダンパ装置を通風路である排気ダクト内に設置した場合を例にして説明する。
【００１３】
図１は、本発明の第１実施の形態に係るダンパ装置の一部を断面にした説明図である。図１において、逆流防止用ダンパ装置４０は、ダンパ本体部４２と整流部４４とから構成してある。ダンパ本体部４２は、排気ダクト１６の内壁に固定するケーシング２６を備えている。ケーシング２６には、複数の平板状羽根２８が軸３４を介して回動自在に取り付けてある。これらの平板状羽根２８は、それぞれ独立して回動するようになっている。平板状羽根２８は、排気ダクト２８に気流４６が流れていない場合、自重により先端が図１の下方を向いて排気ダクト１６を閉鎖し、排気ダクト１６内の塵埃などが室内などに逆流するのを防止する。そして、各平板状羽根２８は、気流４６が矢印のように流れると、風圧によって図１の反時計方向に回動し、排気ダクト１６を開放する。なお、図１に示した符号４８は、平板状羽根２８が排気ダクト１６を開放したときに、気流４６が平板状羽根２８の先端折曲部３６に当たるのを防止する気流案内板である。
【００１４】
整流部４４は、ダンパ本体部４２、すなわち平板状羽根２８の上流側に設けてあって、複数の整流板５０（５０ａ、５０ｂ、………５０ｍ）と、複数の流量調整機構５２（５２ａ、５２ｂ、………５２ｎ）とから構成してある。整流板５０は、各平板状羽根２８の間に位置してあり、基端部がダンパ本体部４２のケーシング２６に取り付けてある。そして、各整流板５０は、気流４６の流れに沿って配置され、気流４６を整流するとともに、排気ダクト１６の内部を複数の分割流路５４（５４ａ、５４ｂ、………５４ｎ）に区画している。また、各整流板５０は、ケーシング２６のなす面、すなわち排気ダクト１６の流路断面に沿って上下方向に移動可能となっていて、上下方向の任意の位置に固定できるようにしてある。したがって、各分割流路５４は、上下方向の高さ方向の寸法Ｌ（Ｌ１、Ｌ２、………Ｌｎ）を任意に変えることができるようになっている。
【００１５】
流量調整機構５２は、各分割流路５４に対応して設けてあり、整流板５０の先端側に配置してある。流量調整機構５２は、実施形態の場合、相対移動可能な一対の多孔板から構成してあって、一対の多孔板の相対位置を変えることにより多孔板の開口率を変化させ、対応する分割流路５４を流れる気流４６の量を調整できるようにしてある。
【００１６】
このようになっている逆流防止用ダンパ装置４０は、整流板５０によって気流４６の流れが滑らかに流れるように整流する。また、流量調整機構５２を構成している一対の多孔板を相対移動させて開口率を変化させ、分割流路５４を流れる気流４６の量を調整することにより、各分割流路５４を流れる気流４６を安定させることができる。これにより、各平板状羽根２８の挙動が安定し、平板状羽根２８に過度な負荷が作用するのを防げ、平板状羽根２８の疲労破壊を防止できて信頼性を向上することができる。また、実施の形態においては、整流板５０によって排気ダクト１６内を複数の分割流路５４に区分しているため、気流４６を安定させる流路断面が小さく区画され、分割流路５４内の気流４６を容易に安定させることができる。しかも、整流板５０は、流路断面に沿って移動可能となっているため、各分割流路５４の断面積を調整して分割流路管における気流４６の状態を同じようにすることができ、一部の平板状羽根２８に過度な負荷が作用するのを避けることができる。
【００１７】
図２は、第２実施形態の一部を断面にした説明図である。この実施形態に係る逆流防止用ダンパ装置６０は、複数の平板状羽根２８の外側に位置する平板状羽根２８、すなわち図２の最上段の平板状羽根（図示せず）と、最下段の平板状羽根２８ｎとに対応して整流部６２（６２ａ、６２ｂ）が設けてある。各整流部６２は、整流板５０（５０ａ、５０ｂ）と流量調整機構５２（５２ａ、５２ｂ）とから構成してある。各整流板５０は、前記実施形態と同様に、流路断面に沿って移動できるようにしてある。
【００１８】
流量調整機構５２は、前記実施形態と同様に、相対移動して開口率を変えることができる一対の多孔板によって構成してある。そして、一方の流量調整機構５２ａは、排気ダクト１６の壁面と整流板５０ａとが形成する分割流路５４ａに配設してあり、分割流路５４ａを流れる気流４６の量を調整できるようになっている。他方の流量調整機構５２ｂは、排気ダクト１６の壁面と整流板５０ｂとが形成する分割流路５４ｂに配置してあり、分割流路５４ｂを流れる気流４６の量を調整する。そして、この実施形態においては、整流板５０ａと整流板５０ｂとにより、排気ダクト１６の上下方向の中央部に形成される分割流路５４ｃには、流量調整機構が設けられていない。これは、排気ダクト１６の中央部を流れる気流４６ｃが、排気ダクト１６の壁面近くを流れる気流４６ａ、４６ｂと比較して安定していることによる。
【００１９】
各整流板５０ａ、５０ｂの先端には、流入口調節板（流入口調節部材）６４（６４ａ、６４ｂ）が回動自在に取り付けてある。流入口調節板６４ａ、６４ｂは、整流板５０に対する傾斜角θを変えることにより分割流路５４ａ、５４ｂの流入口面積を変え、分割流路５４ａ、５４ｂに流入する気流４６の量を変えることができるようになっている。
【００２０】
この第２実施形態に係る逆流防止用ダンパ装置６０は、気流４６が不安定になりやすい排気ダクト１６の壁面近くの気流を整流し、また壁面に隣接して分割流路５４ａ、５４ｂを形成するとともに、流入口調節板６４を設けて分割流路５４ａ、５４ｂに流入する気流４６の量を調節できるようにしているため、排気ダクト１６の壁面付近の気流を安定させることができる。しかも、分割流路５４ａ、５４ｂに流量調整機構５２を設けて分割流路５４ａ、５４ｂを流れる気流４６の量を調整できるようにしているため、気流をより容易に安定させることが可能となる。また、比較的気流４６が安定している排気ダクト１６の中央部の分割流路５４ｃには、流量調整機構を設けていないため、構造が簡素となり安価にすることができる。
【００２１】
なお、前記実施形態は、本発明の一態様であって、これらに限定されるものではない。例えば、第１実施形態の逆流防止用ダンパ装置４０において、整流板５０の先端に第２実施形態に示した流入口調節板６４を回動自在に設けてもよい。また、第２実施形態の逆流防止用ダンパ装置６０において、分割流路５４ａ、５４ｂに流量調整機構５２を設けた場合について説明したが、流量調整機構５２に代えて開口率を変化させることができない多孔板を配置してもよいし、流量調整機構５２や多孔板を配置せずに、流入口調節板６４だけで分割流路５４ａ、５４ｂに流入する気流の量を調節するようにしてもよい。
【図面の簡単な説明】
【００２２】
【図１】第１実施の形態に係る逆流防止用ダンパ装置の一部を断面にした説明図である。
【図２】第２実施の形態に係る逆流防止用ダンパ装置の一部を断面にした説明図である。
【図３】原子力施設の排気系統の一例を示す説明図である。
【図４】従来の逆流防止用ダンパ装置の説明図である。
【図５】平板状羽根の詳細を示す斜視図である。
【符号の説明】
【００２３】
１６………通気路（排気ダクト）、１８………排気ファン、２８………平板状羽根、３０………カウンタウエイト、４０、６０………逆流防止用ダンパ装置、４２………ダンパ本体部、４４………整流部、４６………気流、５０ａ、５０ｂ、５０ｍ………整流板、５２ａ、５２ｂ、５２ｎ………流量調整機構、５４ａ、５４ｂ、５４ｎ………分割流路、６２ａ、６２ｂ………整流部、６４ａ、６４ｂ………流入口調節部材（流入口調節板）。
【図１】
2006329444.tif 000003
【図２】
2006329444.tif 000004
【図３】
2006329444.tif 000005
【図４】
2006329444.tif 000006
【図５】
2006329444.tif 000007